(57)【特許請求の範囲】
【請求項１】
所定幅の原反に並行して複数の両面テープを貼り、前記両面テープ間の中央と前記両面テープの長さ方向の直角方向にカットすることによりなるファイルの製造方法。
【発明の詳細な説明】
【技術分野】
【０００１】
本発明の技術分野は、名刺およびＡ４ファイルなどの書類等を出し入れできることを特徴とした名刺書類等入及びその製造方法に関する。
【背景技術】
【０００２】
従来の名刺入や書類入は、プラスチック、布、または金属等で作られていた。そのため、名刺や書類が多くなり、名刺入や書類入を増やすと、かさばって整理するためのスペースが余分に必要である。また総重量が重くなる。
【０００３】
名刺や書類をホッチキスで止める場合を考えると、名刺や書類等の枚数が多く、厚さが大きくなるとホッチキスで止められなくなる。また、名刺や書類等の材質が硬くなるとホッチキスで止められなくなる。ホッチキスで止めると名刺や書類等を出し入れできなくなる。名刺や書類等を本のように片端を糊で固めると、名刺や書類等を本のようにめくって見ることができるが、名刺や書類等を出し入れできない。
【発明の概要】
【発明が解決しようとする課題】
【０００４】
薄くて軽く、ローコストで製造でき、名刺や書類等を本のようにページをめくることができ、且つ名刺や書類等を出し入れできる名刺書類等入及びその製造方法を得る。
【課題を解決するための手段】
【０００５】
所定幅の原反に並行して複数の両面テープを貼り、前記両面テープ間の中央と前記両面テープの長さ方向の直角方向にカットすることによりなるファイルの製造方法。
【発明の効果】
【０００６】
本発明の名刺書類等入１９は、原反を名刺書類等入１９のカバーにするので、大変薄く、大変軽く、ローコストで作成できるという効果を持つ。図４の名刺書類等入１９の製造方法および図８の名刺書類等入１９の使用方法で説明から分かるように、名刺やクレジットカードやＡ４、Ａ３など色々なサイズの書類等も収納でき、名刺をここからはがして相手に渡して、相手の名刺をここに収納して固定できる名刺入として処理できるので、応用範囲が広いという効果を持つ。
【図面の簡単な説明】
【０００７】
【図１】本発明の名刺書類等入の外カバーに使用するテープを説明した図である。
【図２】本発明の名刺書類等入の外カバーの内側の印刷面を説明した図である。
【図３】本発明の名刺書類等入の名刺書類等を取り外しするための両面テープを説明した図である。
【図４】本発明の名刺書類等入の製造方法を説明した図である。
【図５】Ａ本発明の名刺書類等入を名刺入にした時の寸法を説明した図である。             Ｂ本発明の名刺書類等入をＡ４書類入にした時の寸法を説明した図である。
【図６】本発明の名刺書類等入の斜視図である。
【図７】本発明の名刺書類等入の断面図である。
【図８】本発明の名刺書類等入の使用方法を説明した図である。
【発明を実施するための形態】
【実施例１】
【０００８】
図１は本発明の名刺書類等入の外カバーに使用するテープを説明した図である。テープ１はテープ芯２を持っている。テープ芯２を回転軸としてテープが回転し、テープ片３が切り出される。テープ片３は幅Ｗと長さＬのサイズを持つ。４、５、６はテープ片３の断面構造を示している。４はリリースコート、５は紙、６は紙５の表面の印刷である。紙５の上にリリースコート４を付けると、紙５は破れにくくしなやかに曲がるようになる。同じような効果を持つテープ１を原反とする。
【０００９】
図２は本発明の名刺書類等入の外カバーの内側の印刷を説明した図である。テープ片３の加工が行われ易いように、印刷６にはメモリが印刷してある。メモリの縦軸は縦軸印刷７で記してある。メモリの横軸は横軸印刷８で記してある。縦軸印刷７および横軸印刷８は１０ミリおきに印刷されている。
【００１０】
図３は本発明の名刺書類等入の名刺書類等を取り外しするための両面テープ１１を説明した図である。両面テープ１１は図の下から、感圧接着剤１３、ベース１２、感圧接着剤１４、およびリリースライナー１５から構成されている。
【００１１】
図４は本発明の名刺書類等入の製造方法を説明した図である。テープ片３の切出し部分９はテープ片３から名刺書類等入を切り出す大きさを示している。名刺書類等入を切り出す大きさは幅がＸであり、長さがＹである。名刺書類等部分１０は幅がＦであり、長さがＹである。切り出し作業が簡単にできるようにテープ片３の印刷６のメモリを用いる。最初に、幅Ｔ及び長さＬの両面テープ１１を切出し部分９の幅Ｘの中央に貼る。次に、印刷６のメモリを用いて、両面テープと共に切出し部分９に従い名刺書類等入を切り出す。
【００１２】
図５Ａは本発明の名刺書類等入を名刺入にした時の寸法を説明した図である。Ａでは、Ｆ＝５５ミリ、Ｙ＝９０ミリ、Ｘ＝１２４ミリとなっている。Ｂ本発明の名刺書類等入をＡ４書類入にした時の寸法を説明した図である。Ｂでは、Ｆ＝２１０ミリ、Ｙ＝２９７ミリ、Ｘ＝４４５ミリとなっている。
【００１３】
図６は本発明の名刺書類等入１９の斜視図である。２０は名刺書類等である。この図が名刺書類等入１９の完成図である。
【００１４】
図７は本発明の名刺書類等入の断面図である。切出し部分９の中央に両面テープ１１が貼られている。
【００１５】
図８は本発明の名刺書類等入の使用方法を説明した図である。図７に示す状態から、両面テープ１１の端を基準にして、名刺書類等部分１０を図８Ａのように折り曲げる。このようにして名刺書類等入１９は完成する。図８Ｂでは両面テープ１１のリリースライナー１５を取り外す。図８Ｃは名刺書類等入１９に名刺書類等２０の出し入れできることを示している。この両面テープ１１の感圧接着剤１４は大変接着力が強く、名刺２０を付けると本または雑誌等のように簡単には取れない。さらに切出し部分９のリリースコート４は破れにくく且つ自由に曲がるので、名刺書類等入１９に名刺書類等２０を入れることは、名刺書類等２０の製本化となる。且つその名刺書類等２０を出し入れできるので、自由にページを出したり入れたりする製本化した名刺書類等にもなる。
【００１６】
以上説明したように、本発明の名刺書類等入１９は、リリースコート４を付けた紙５を名刺書類等入１９のカバーにするので、大変薄く、大変軽く、ローコストで作成できるという効果を持つ。図４の名刺書類等入１９の製造方法および図８の名刺書類等入１９の使用方法で説明から分かるように、名刺や色々なサイズのカードおよび色々なサイズの書類等にも対応でき、接着剤に感圧接着剤１４を用いるので色々な材質の名刺書類等２０にも対応できるので、応用範囲が広いという効果を持つ。ギネスレコードで世界一軽いカードホルダー（名刺入れ）として認められている。
【符号の説明】
【００１７】
１                         テープ
２                         テープ芯
３                         テープ片
４                         リリースコート
５                         紙
６                         印刷
７                         縦軸印刷
８                         横軸印刷
９                         切出し部分
１０                     名刺書類等部分
１１                     両面テープ
１２                     ベース
１３                     感圧接着剤
１４                     感圧接着剤
１５                     リリースライナー
１６                     矢印
１７                     名刺
１８                     名刺
１９                     名刺書類等入
２０                     名刺書類等
【図１】
0005581298.tif 000002
【図２】
0005581298.tif 000003
【図３】
0005581298.tif 000004
【図４】
0005581298.tif 000005
【図５】
0005581298.tif 000006
【図６】
0005581298.tif 000007
【図７】
0005581298.tif 000008
【図８】
0005581298.tif 000009